(57)【要約】【課題】  ユーザがサムネイル画像を登録する手間を軽減させることができる記録再生装置を提供することを目的とする。【解決手段】  ユーザにより指定された画像データをサムネイル元画像データとして選択するサムネイル元画像データ選択手段１４３と、サムネイル元画像データが一定期間再生されるようにデータ構成して再生用サムネイル元画像データを生成する再生用サムネイル元画像データ生成手段１４４と、再生用サムネイル元画像データをコピーする再生用サムネイル元画像データコピー手段１４７と、同シリーズの番組の映像データにコピーされた再生用サムネイル元画像データを同一ファイルとして結合する再生用サムネイル元画像データ結合手段１４５とを備え、映像データに結合された再生用サムネイル元画像データからサムネイル表示に適した大きさに縮小して生成されたサムネイル画像データを表示する。【選択図】  図１
2007060247.tif 000002
【特許請求の範囲】
【請求項１】
番組の映像データからサムネイル画像を生成するためのサムネイル元画像データを選択するサムネイル元画像データ選択手段と、
前記サムネイル元画像データが一定期間再生されるようにデータ構成して再生用サムネイル元画像データを生成する再生用サムネイル元画像データ生成手段と、
前記映像データに前記再生用サムネイル元画像データを同一ファイルとして結合する再生用サムネイル元画像データ結合手段とを備え、
前記映像データに結合された前記再生用サムネイル元画像データからサムネイル表示に適した大きさに縮小して生成されたサムネイル画像データを表示するようにしたことを特徴とする記録再生装置。
【請求項２】
前記再生用サムネイル元画像データをコピーする再生用サムネイル元画像データコピー手段を備え、
前記再生用サムネイル元画像データ結合手段は、前記番組と関連する番組の映像データに、前記コピーされた再生用サムネイル元画像データを同一ファイルとして結合する
ことを特徴とする請求項１に記載の記録再生装置。
【発明の詳細な説明】
【技術分野】
【０００１】
本発明は、光ディスク、ハードディスク、または半導体メモリなどの大容量記録媒体へのコンテンツを録画および再生する装置であって、録画されたコンテンツの見出し表示をサムネイル映像を用いて表示する記録再生装置に関する。
【背景技術】
【０００２】
近年、テレビ番組などのコンテンツを録画および再生する装置として、ＨＤＤレコーダやＤＶＤレコーダなどの大容量記録媒体を用いた記録再生装置が普及している。
【０００３】
これらの記録再生装置は、長時間録画や多数のタイトル（番組）録画ができ、さらにそれらのコンテンツへのランダムアクセスが可能であるという利点がある。
【０００４】
従来の記録再生装置１００の主な構成を図６に示す。この記録再生装置１００において、アンテナや他の再生機器から番組の映像および情報を含む信号が受信されると記録再生装置１００の入力手段１１からこの信号が入力され、入力信号処理手段１２でＡ／Ｄ変換などの信号処理が施される。
【０００５】
入力信号処理が施された信号は、制御手段１４においてＭＰＥＧ方式などで圧縮処理され、タイトルデータとして記録手段１３に記録される。
【０００６】
再生するときは、制御手段１４により記録されたタイトルデータが記録手段１３から読み出され、ＭＰＥＧ伸張処理やオンスクリーンディスプレイ処理などが施される。
【０００７】
これらの処理が施されたタイトルデータは、出力信号処理手段１５でＤ／Ａ変換などの信号処理が行われ、出力手段１６によってＴＶモニタなどの外部の映像モニタや記録機器に出力され再生される。
【０００８】
この記録再生装置１００の記録手段１３に格納された数多くのタイトルデータから、所望のタイトルデータをユーザが探し出しやすくするために、録画されたタイトルデータのサムネイル画像を一覧表示する機能が利用されている。
【０００９】
従来の記録再生装置１００において、記録手段１３に格納されているタイトルデータにサムネイル画像データの登録する方法、および登録されたサムネイル画像データをモニタに表示する方法について説明する。
【００１０】
〈従来のサムネイル画像データの登録方法および表示方法（１）〉
従来のサムネイル画像データの登録方法および表示方法（１）について図７〜図１２を参照して説明する。
【００１１】
図７は、記録再生装置１００の記録手段１３に格納されているタイトルデータ２１の構成を示す模式図である。
【００１２】
記録手段１３に格納されているタイトルデータ２１は、このタイトルデータ２１の開始位置であることを示すタイトルスタート情報２２と、タイトル名、日時、データサイズなどの情報を格納するタイトル情報エリア２３と、映像データ（コンテンツデータ）を格納する映像データ２４と、このタイトルデータ２１の終了位置であることを示すタイトルエンド情報２５とから構成されている。
【００１３】
このタイトルデータ２１にサムネイル画像データが登録されるときの記録再生装置１００の制御手段１４の動作を、図８のフローチャートを参照して説明する。
【００１４】
まず、サムネイル画像データの登録操作対象のタイトルデータ２１が記録手段１３中にあり、且つそのタイトルデータ２１の映像データ２４中にユーザにより指定されたサムネイルに適した画像データがあったときは、映像データ２４中におけるこのサムネイル元画像データ２６の位置を示すサムネイル元画像ポインタ２９がタイトル情報エリア２３に格納される（Ｓ２１〜Ｓ２４）。ユーザにより指定されたサムネイルに適した画像データがなかったときは、予め設定されている所定値の初期ポインタ（例えば、映像データ２４の先頭画像データを示すポインタ）がサムネイル元画像ポインタ２９としてタイトル情報エリア２３に格納される（Ｓ２５）。
【００１５】
このサムネイル元画像ポインタ２９が格納されたタイトルデータ２１が記録手段１３に記録されることにより、タイトルデータ２１にサムネイル元画像データ２６が登録される。
【００１６】
この登録処理は、記録手段１３中の全ての登録操作対象のタイトルデータ２１が登録されるまで行われる。
【００１７】
登録されたサムネイル画像データを表示させるときの記録再生装置１００の制御手段１４における動作を、図９のフローチャートを参照して説明する。
【００１８】
まず、サムネイル画像データを表示させるタイトルデータ２１が記録手段１３中にあるときは、そのタイトルデータ２１のタイトル情報エリア２３からサムネイル元画像ポインタ２９が読み取られる。そしてこのサムネイル元画像ポインタ２９を基に映像データ２４内のサムネイル元画像データ２６が取得され、サムネイル表示に適した大きさに縮小されてサムネイル画像データ２７が生成される（Ｓ３１〜Ｓ３４）。
【００１９】
生成されたサムネイル画像データ２７は、図１０に示すように、モニタ２８に出力され表示される（Ｓ３５）。
【００２０】
この表示処理は、表示させるサムネイル画像データ２７が全て表示されるまで行われる。
【００２１】
以上のサムネイル画像データ登録処理およびサムネイル画像データ表示処理が、記録手段１３に格納された複数のタイトルデータ２１−１〜２１−７に対して行われたときについて図１１および図１２を参照して説明する。
【００２２】
図１１では、複数のタイトルＡ〜Ｇのタイトルデータ２１−１〜２１−７においてそれぞれ選択されたサムネイル元画像データ２６−１〜２６−７の位置を示すサムネイル元画像ポインタ２９−１〜２９−７が、それぞれのタイトル情報エリア２３−１〜２３−７に格納され記録手段１３に記録されることにより、サムネイル画像データ登録処理が行われる。
【００２３】
また、ユーザによりサムネイル画像データ表示処理が指示されると、それぞれのサムネイル元画像ポインタ２９−１〜２９−７を基に映像データ２４−１〜２４−７内のサムネイル元画像データ２６−１〜２６−７が記録手段１３から取得され、縮小されたサムネイル画像データ２７−１〜２７−７が生成され、図１２に示すように、モニタ２８に順に並べられて表示される。
【００２４】
〈従来のサムネイル画像データの登録方法および表示方法（２）〉
従来のサムネイル画像データの登録方法および表示方法（２）について図１３〜図１８を参照して説明する。
【００２５】
図１３は、記録再生装置１００の記録手段１３に格納されているタイトルデータ２１の構成を示す模式図である。この形態におけるタイトルデータ２１の基本的な構成は図６と同様であるため詳細な説明は省略する。
【００２６】
このタイトルデータ２１にサムネイル画像データが登録されるときの記録再生装置１００の制御手段１４の動作を、図１４のフローチャートを参照して説明する。
【００２７】
まず、サムネイル画像データの登録操作対象のタイトルデータ２１が記録手段１３中にあり、且つそのタイトルデータ２１の映像データ２４中にユーザにより指定されたサムネイルに適した画像データがあったときは、この画像データがサムネイル表示に適した大きさに縮小され、得られたサムネイル画像データ３０がタイトル情報エリア２３に格納される。ユーザにより指定されたサムネイルに適した画像データがなかったときは、予め設定されている所定位置の画像データ（例えば、映像データ２４の先頭画像データ）が取得され、この取得された画像データが縮小されてサムネイル画像データ３０としてタイトル情報エリア２３に格納される（Ｓ４１〜Ｓ４６）。
【００２８】
このサムネイル画像データ３０が格納されたタイトルデータ２１が記録手段１３に記録されることにより、タイトルデータ２１にサムネイル画像データ３０が登録される（Ｓ４７）。
【００２９】
この登録処理は、記録手段１３中の全ての登録操作対象のタイトルデータ２１が登録されるまで行われる。
【００３０】
登録されたサムネイル画像データを表示させるときの記録再生装置１００の制御手段１４における動作を、図１５のフローチャートを参照して説明する。
【００３１】
まず、サムネイル画像データを表示させるタイトルデータ２１が記録手段１３中にあるときは、そのタイトルデータ２１のタイトル情報エリア２３からサムネイル画像データ３０が取得され、図１６に示すようにモニタ２８に出力され表示される（Ｓ５１〜Ｓ５３）。
【００３２】
この表示処理は、表示させるサムネイル画像データ３０が全て表示されるまで行われる。
【００３３】
以上のサムネイル画像データ登録処理およびサムネイル画像データ表示処理が、記録手段１３に格納された複数のタイトルデータ２１−１〜２１−６に対して行われたときについて図１７および図１８を参照して説明する。
【００３４】
図１７では、複数のタイトルＡ〜Ｆのタイトルデータ２１−１〜２１−６においてそれぞれ選択され生成されたサムネイル画像データ３０−１〜３０−６が、それぞれのタイトル情報エリア２３−１〜２３−６に格納され記録手段１３に記録されることにより、サムネイル画像データ登録処理が行われる。
【００３５】
また、ユーザによりユーザ制御手段１７を用いてサムネイル画像データ表示処理が指示されると、それぞれ映像データ２４−１〜２４−６内のサムネイル画像データ３０−１〜３０−６が記録手段１３から取得され、図１８に示すように、モニタ２８に順に並べられて表示される。
【００３６】
〈従来のサムネイル画像データの登録方法および表示方法（３）〉
従来のサムネイル画像データの登録方法および表示方法（３）について図１９〜図２４を参照して説明する。
【００３７】
図１９は、記録再生装置の記録手段１３に格納されているタイトルデータ２１の構成を示す模式図である。この形態におけるタイトルデータ２１の基本的な構成は図６と同様であるため詳細な説明は省略する。
【００３８】
このタイトルデータ２１にサムネイル画像データが登録されるときの記録再生装置１００における制御手段１４の動作を、図２０のフローチャートを参照して説明する。
【００３９】
まず、サムネイル画像データの登録操作対象のタイトルデータ２１が記録手段１３中にあり、且つそのタイトルデータ２１の映像データ２４中にユーザにより指定されたサムネイルに適した画像データがあったときは、この画像データがサムネイル表示に適した大きさに縮小され、得られたサムネイル画像データ３１がタイトルデータ２１とは別のサムネイル画像記録テーブル３２に格納される。ユーザにより指定されたサムネイルに適した画像データがなかったときは、予め設定されている所定位置の画像データ（例えば、映像データ２４の先頭画像データ）が取得され、この取得された画像データが縮小されてサムネイル画像記録テーブル３２に格納される（Ｓ６１〜Ｓ６７）。
【００４０】
さらにサムネイル画像記録テーブル３２の格納位置を示すサムネイル画像ポインタ３３がタイトル情報エリア２３に格納され、このサムネイル画像ポインタ３３が格納されたタイトルデータ２１が記録手段１３に記録されることにより、タイトルデータ２１にサムネイル画像データ３１が登録される（Ｓ６８）。
【００４１】
この登録処理は、記録手段１３中の全ての登録操作対象のタイトルデータ２１が登録されるまで行われる。
【００４２】
登録されたサムネイル画像データを表示させるときの記録再生装置１００の制御手段１４における動作を、図２１のフローチャートを参照して説明する。
【００４３】
まず、サムネイル画像データを表示させるタイトルデータ２１が記録手段１３中にあるときは、そのタイトルデータ２１のタイトル情報エリア２３からサムネイル画像ポインタ３３が読み取られる。そしてこのサムネイル画像ポインタ３３を基にサムネイル画像記録テーブル３２内のサムネイル画像データ３１が取得され、図２２に示すように、モニタ２８に出力され表示される（Ｓ７１〜Ｓ７４）。
【００４４】
この表示処理は、表示させるサムネイル画像データ３１が全て表示されるまで行われる。
【００４５】
以上のサムネイル画像データ登録処理およびサムネイル画像データ表示処理が、記録手段１３に格納された複数のタイトルデータ２１−１〜２１−６に対して行われたときについて図２３および図２４を参照して説明する。
【００４６】
図２３では、複数のタイトルＡ〜Ｆのタイトルデータ２１−１〜２１−６においてそれぞれ選択されたサムネイル元画像データ２６−１〜２６−６が縮小されたサムネイル画像データ３１−１〜３１−６がサムネイル画像記録テーブル３２に格納され、さらにサムネイル画像記録テーブル３２中のサムネイル画像データ３１−１〜３１−６の位置を示すサムネイル画像ポインタ３３−１〜３３−６がそれぞれのタイトルデータ２１のタイトル情報エリア２３−１〜２３−６に格納され記録手段１３に記録されることによりサムネイル画像データ登録処理が行われる。
【００４７】
また、ユーザによりユーザ制御手段１７を用いてサムネイル画像データ表示処理が指示されると、タイトル情報エリア２３−１〜２３−６から読み取られたサムネイル画像ポインタ３３−１〜３３−６を基にサムネイル画像記録テーブル３２内のサムネイル画像データ３１−１〜３１−６が取得され、図２４に示すようにモニタ２８に順に並べられて表示される。
【００４８】
〈従来のサムネイル画像データの表示方法（４）〉
従来のサムネイル画像データの表示方法（４）について図２５〜図２７を参照して説明する。
【００４９】
この形態におけるタイトルデータ２１の基本的な構成は図６と同様であるため詳細な説明は省略する。
【００５０】
この形態においては、記録手段１３中に記録されている複数のタイトルにサムネイル画像データが登録されていないときの記録再生装置１００の制御手段１４によるサムネイル画像データ表示処理について図２５および図２６を参照して説明する。
【００５１】
まず、サムネイル画像データを表示させるタイトルデータ２１−１〜２１−６が記録手段１３中にあり、且つこのタイトルデータ２１−１〜２１−６のサムネイル画像データ登録があるかときは、図１５に示す表示処理の場合と同様にサムネイル画像データが表示される（Ｓ８１〜Ｓ８４）。
【００５２】
ステップＳ８２でサムネイル画像データ登録がないときは、タイトルデータ２１−１〜２１−６の映像データ２４−１〜２４−６のスタート画像データ３４−１〜３４−６がそれぞれ取得され、この取得された画像データが縮小されてサムネイルスタート画像データ３５−１〜３５−６が生成され、図２７に示すように、モニタ２８に出力され表示され表示処理が終了する（Ｓ８５、Ｓ８６）。
【００５３】
この表示処理は、表示させるタイトルデータ２１のサムネイルスタート画像データ３５が全て表示されるまで行われる。
【００５４】
上記のようなサムネイル画像データ登録処理および表示処理に関し、さらにユーザが利用しやすい機能を備えた記録再生装置が特許文献１および特許文献２に記載されている。
【００５５】
特許文献１の技術では、録画された番組を一覧表示する際に、録画日時やチャンネル番号に加え、各番組をどこまで既に再生し視聴したかという情報とともにその番組のサムネイルを表示するため、ユーザは容易に多数の録画番組から視聴したい番組を選ぶことができる。
【００５６】
また、特許文献２の技術では、録画済みの番組だけでなく録画予約をしている番組に関してもサムネイルを表示することができるので、予約番組の内容をユーザが一目で認識することができる。また、既に録画され現在視聴可能な番組かあるいは予約してある番組かに応じて異なる表示形態でサムネイルを一覧表するため、ユーザがこれらを容易に識別することができる。
【特許文献１】特開２０００−１３８８８６公報
【特許文献２】特開２００３−１０１９１６公報
【発明の開示】
【発明が解決しようとする課題】
【００５７】
しかし、特許文献１および特許文献２の記録再生装置では、サムネイル画像として選択された画像データがタイトルデータ内の映像データファイルとは別の情報ファイルに格納されている場合、映像データファイルを別の媒体に移動させると登録されたサムネイル画像の情報を使用することができなくなるという問題があった。
【００５８】
また、ユーザが選択した画像データからサムネイル画像データを生成するときには、ユーザはタイトルごとにサムネイル表示に用いる画像を選択しなければならず、手間がかかるという問題があった。
【００５９】
ユーザによる画像を選択する手間を省くため、タイトル中の所定位置の画像（例えばタイトルの先頭位置の画像や、先頭から一定時間経過ときの画像、または再生停止位置の画像）を常にサムネイル画像として用いる方法もあるが、こられの方法では必ずしもそのタイトルの内容が一目でわかるようなサムネイルとしてふさわしい画像ではない場合があるという問題があった。
【００６０】
これは、タイトルの先頭位置の画像や先頭から一定時間経過したときの画像は第三者が指定したものであり、そのタイトルの内容を示すサムネイルにふさわしい画像であるかどうか、またはユーザがその画像により直感的にタイトルを判断することができるかどうかは、番組の作り方や録画時間などの条件によるためである。
【００６１】
本発明は上記事情に鑑みてなされたものであり、映像データファイルを別の媒体に移動させても登録されたサムネイル画像データを使用することができる記録再生装置を提供することを目的とする。
【００６２】
また、複数のタイトルからなるシリーズ番組などは共通のサムネイル画像データを用いることにより、ユーザがサムネイル画像を登録する手間を軽減させることができる記録再生装置を提供することを目的とする。
【課題を解決するための手段】
【００６３】
上記目的を達成するための本発明の請求項１に記載の記録再生装置は、番組の映像データからサムネイル画像を生成するためのサムネイル元画像データを選択するサムネイル元画像データ選択手段と、サムネイル元画像データが一定期間再生されるようにデータ構成して再生用サムネイル元画像データを生成する再生用サムネイル元画像データ生成手段と、映像データに再生用サムネイル元画像データを同一ファイルとして結合する再生用サムネイル元画像データ結合手段とを備え、映像データに結合された再生用サムネイル元画像データからサムネイル表示に適した大きさに縮小して生成されたサムネイル画像データを表示するようにしたことを特徴とする。
【００６４】
また、請求項２は請求項１に記載の記録再生装置であり、再生用サムネイル元画像データをコピーする再生用サムネイル元画像データコピー手段を備え、再生用サムネイル元画像データ結合手段は、番組と関連する番組の映像データに、コピーされた再生用サムネイル元画像データを同一ファイルとして結合することを特徴とする。
【発明の効果】
【００６５】
本発明の記録再生装置によれば、映像データファイルを別の媒体に移動させても登録されたサムネイル画像データを使用することができ、再度登録する手間を省くことができる。
【００６６】
また、複数のタイトルからなるシリーズ番組などは、共通のサムネイル画像データを用いることにより、ユーザがサムネイル画像を個々のタイトルに登録する必要がなくなり、手間を軽減させることができる。
【発明を実施するための最良の形態】
【００６７】
〈一実施形態による記録再生装置１の構成〉
本発明の一実施形態による記録再生装置１の構成を、図１を参照して説明する。本実施形態による記録再生装置１は、入力手段１１と、入力信号処理手段１２と、記録手段１３と、制御手段１４と、出力信号処理手段１５と、出力手段１６と、ユーザ制御手段１７とを備える。
【００６８】
入力手段１１は、アンテナから受信したタイトル映像信号やタイトルに関する情報を含むタイトル信号、または接続ケーブルにより接続された外部の再生装置から受信したタイトル信号を入力する。
【００６９】
入力信号処理手段１２は、入力されたタイトル信号にＡ／Ｄ変換を施す。
【００７０】
制御手段１４は、タイトルデータ生成手段１４１と、親タイトルデータ取得手段１４２と、サムネイル元画像データ選択手段１４３と、再生用サムネイル元画像データ生成手段１４４と、再生用サムネイル元画像データ結合手段１４５と、子タイトルデータ取得手段１４６と、再生用サムネイル元画像データコピー手段１４７と、サムネイル元画像データ取得手段１４８と、サムネイル画像データ生成手段１４９とを有する。
【００７１】
記録手段１３は、Ａ／Ｄ変換されたタイトル信号をタイトルデータとして格納する。本実施形態においては、毎週同じ曜日の同じ時間に放送されるシリーズ番組である複数のタイトルデータ２１−１〜２１−６を格納している。
【００７２】
格納されているタイトルデータ２１−１〜２１−６の構成を図２に示す。これらのタイトルデータ２１−１〜２１−６は、タイトル名、日時、データサイズなどの情報を格納するタイトル情報エリア２３−１〜２３−６と、映像（コンテンツ）のデータを格納する映像データ２４−１〜２４−６とを有する。
【００７３】
制御手段１４および記録手段１３の詳細な構成について説明する。
【００７４】
タイトルデータ生成手段１４１は、入力信号処理手段１２でＡ／Ｄ変換されたタイトル信号からタイトルデータを生成し、記録手段１３に送出する。
【００７５】
親タイトルデータ取得手段１４２は、記録手段１３に格納されているシリーズ番組のタイトルデータ２１−１〜２１−６から親タイトルデータを判別して取得する。本実施形態の親タイトルデータとは、シリーズ番組における第1週目の放送であるタイトルデータ２１−１を指す。
【００７６】
サムネイル元画像データ選択手段１４３は、親タイトルデータ取得手段１４２で取得された親タイトルデータ２１−１の映像データ２４−１からユーザの操作により指定された画像をサムネイル元画像データ２６−１として選択する。
【００７７】
再生用サムネイル元画像データ生成手段１４４は、サムネイル元画像データ選択手段１４３で選択されたサムネイル元画像データ２６−１を一定期間再生させるための再生用サムネイル元画像データ４１−１を生成する。
【００７８】
再生用サムネイル元画像データ結合手段１４５は、再生用サムネイル元画像データ生成手段１４４で生成された再生用サムネイル元画像データ４１−１をタイトルデータ２１−１内に結合することにより登録し、記録手段１３に送出する。また、後述する再生用サムネイル元画像データコピー手段１４７で生成される再生用サムネイル元画像データ４１−１のコピー画像データをシリーズ番組の第２週目以降のタイトルデータ（子タイトルデータ）２１−２〜２１−６にそれぞれ結合することにより登録し、記録手段１３に送出する。
【００７９】
子タイトルデータ取得手段１４６は、記録手段１３に格納されているシリーズ番組のタイトルデータ２１−１〜２１−６から、子タイトルデータ２１−２〜２１−６を取得する。
【００８０】
再生用サムネイル元画像データコピー手段１４７は、親タイトルデータ取得手段１４２で取得された親タイトルデータ２１−１中の再生用サムネイル元画像データ４１−１のコピー画像データを、子タイトルデータの数分生成する。
【００８１】
サムネイル元画像データ取得手段１４８は、それぞれのタイトルデータ２１−１〜２１−６に結合された再生用サムネイル元画像データ４１−１を取得する。
【００８２】
サムネイル画像データ生成手段１４９は、サムネイル元画像データ取得手段１４８で取得された再生用サムネイル元画像データ４１−１をそれぞれ縮小してサムネイル表示に適したサイズのサムネイル画像データ４２−１を生成する。
【００８３】
出力信号処理手段１５は、制御手段１４から送出されたサムネイル画像データ４２−１を読み出し、Ｄ／Ａ変換を施す。
【００８４】
出力手段１６は、Ｄ／Ａ変換されたサムネイル画像データ４２−１をモニタや外部装置などに送出する。
【００８５】
ユーザ制御手段１７は、リモコンなどの操作によりユーザからの指示を受信し制御手段１４に送出する。
【００８６】
〈一実施形態による記録再生装置１の動作〉
本実施形態における記録再生装置１の動作について説明する。
【００８７】
まず、アンテナや再生機器から受信されたタイトル映像やタイトルに関する情報を含むタイトル信号、または接続ケーブルにより接続された外部の再生装置から受信されたタイトル信号が入力手段１１により入力される。
【００８８】
入力されたタイトル信号は、入力信号処理手段１２でＡ／Ｄ変換が施され、制御手段１４に送出される。
【００８９】
制御手段１４では、タイトルデータ生成手段１４１で入力信号処理手段１２から送出されたタイトル信号が取得され、映像データとタイトルに関する情報を含むタイトル情報エリアとが結合されたタイトルデータが生成される。
【００９０】
生成されたタイトルデータは、記録手段１３に格納される。本実施形態においては毎週同じ曜日の同じ時間に放送されたシリーズ番組が６週にわたって記録され、タイトルデータ２１−１〜２１−６が記録手段１３に格納されている。
【００９１】
次に、この記録手段１３に格納されたタイトルデータ２１−１〜２１−６にサムネイル画像データを表示させるためのサムネイル元画像データを登録する処理について、図３のフローチャートを参照して説明する。
【００９２】
まず、ユーザによりユーザ制御手段１７が用いられサムネイル元画像データ登録処理が開始されると、記録手段１３に格納されているシリーズ番組のタイトルデータ２１−１〜２１−６にサムネイル元画像データが登録されている親タイトルデータがあるかどうか親タイトルデータ取得手段１４２により判別される（Ｓ１）。
【００９３】
判別の結果、サムネイル元画像データが登録されている親タイトルデータがなければ（Ｓ１の「Ｎｏ」）、サムネイル元画像データが未登録の親タイトルデータがあるかどうか判別される（Ｓ２）。本実施形態においてはステップＳ２において該当する親タイトルデータがあり（Ｓ２の「Ｙｅｓ」）、タイトルデータ２１−１が未登録の親タイトルデータとして判別される。
【００９４】
次に、親タイトルデータ２１−１の映像データ２４−１から、ユーザによりユーザ制御手段１７が用いられサムネイルに適した画像データが検索される（Ｓ３）。
【００９５】
検索の結果、ユーザにより指定されたサムネイルに適した画像データがあったかどうかが判断され（Ｓ４）、該当する画像データがあったときは（Ｓ４の「Ｙｅｓ」）サムネイル元画像データ選択手段１４３においてこの画像がサムネイル元画像データ２６−１として選択される。
【００９６】
次に、再生用サムネイル元画像データ生成手段１４４において、サムネイル元画像データ２６−１を一定期間再生させるための再生用サムネイル元画像データ４１−１が生成される（Ｓ５）。
【００９７】
生成された再生用サムネイル元画像データ４１−１は、図２に示すように親タイトルデータ２１−１の映像データ先頭位置４０−１に映像データ２４−１と同一ファイルとして結合され、再生用サムネイル元画像データ４１−１の先頭が新たな再生スタート位置になる（Ｓ６）。結合されたタイトルデータ２１−１が記録手段１３に格納されることにより再生用サムネイル元画像データ４１−１がタイトルデータ２１−１に登録され、親タイトルデータ２１−１のサムネイル元画像登録処理が終了する。
【００９８】
ステップＳ２において、サムネイル元画像データが未登録の親タイトルデータがなかったときには、処理は終了する。
【００９９】
また、ステップＳ４において、ユーザにより指定されたサムネイルに適した画像データがなかったときには、ステップＳ２に戻り、他のタイトルデータからサムネイルに適した画像データが検索される（Ｓ４の「Ｎｏ」）。
【０１００】
ステップＳ１においてサムネイル元画像データが登録されている親タイトルデータがあると判断されたとき（Ｓ１の「Ｙｅｓ」）、または、ステップＳ６において親タイトルデータ２１−１のサムネイル元画像登録処理が終了したときは、記録手段１３に格納されているシリーズ番組のタイトルデータから、子タイトルデータ取得手段１４６によりサムネイル元画像が登録されていない同シリーズの子タイトルデータがあるかどうか判別される（Ｓ７）。
【０１０１】
ステップＳ７において、該当する子タイトルデータがあると判別されたときは（本実施形態においてはタイトルデータ２１−２〜２１−６）、親タイトルデータ２１−１に登録されている再生用サムネイル元画像データ４１−１が再生用サムネイル元画像データコピー手段１４７で取得され、子タイトルデータの数分コピーされる。本実施形態では、子タイトルデータ２１−２〜２１−６の５個のコピー画像データが生成される（Ｓ８）。
【０１０２】
生成された再生用サムネイル元画像データ４１−１のコピー画像データは、再生用サムネイル元画像データ結合手段１４５で子タイトルデータであるタイトルデータ２１−２〜２１−６の映像データ先頭位置４０−２〜４０−６にそれぞれ映像データ２４−２〜２４−６と同一ファイルとして結合され、再生用サムネイル元画像データ４１−１の先頭が新たな再生スタート位置になる（Ｓ９）。結合されたタイトルデータ２１−２〜２１−６は記録手段１３に格納されることにより再生用サムネイル元画像データ４１−１がタイトルデータ２１−２〜２１−６に登録され、子タイトルデータ２１−２〜２１−６のサムネイル元画像登録処理が終了する。
【０１０３】
ステップＳ７において、サムネイル元画像データが登録されていない同シリーズの子タイトルデータがなかったときには、処理は終了する。
【０１０４】
次に、登録されたサムネイル元画像データを基にサムネイル画像データを表示させるときの記録再生装置１の動作を、図４のフローチャートを参照して説明する。
【０１０５】
まず、サムネイル画像データを表示させるタイトルデータが記録手段１３中にあるかどうか、ユーザによりユーザ制御手段１７が用いられ検索される（Ｓ１１）。
【０１０６】
サムネイル画像データを表示させるタイトルデータが記録手段１３中にあるときは（Ｓ１１の「Ｙｅｓ」）、表示させるタイトルデータ内の映像データの先頭に結合されたサムネイル元画像データがサムネイル元画像データ取得手段１４８により取得される（Ｓ１２）。本実施形態においては、表示させるタイトルデータはタイトルデータ２１−１〜２１−６であり、それぞれに結合されている再生用サムネイル元画像データ４１−１が取得される。
【０１０７】
次に、サムネイル画像データ生成手段１４９により、取得された再生用サムネイル元画像データ４１−１がサムネイル表示に適した大きさにそれぞれ縮小されて６個のサムネイル画像データ４２−１が生成される。
【０１０８】
生成された６個のサムネイル画像データ４２−１は、出力信号処理手段１５を介して出力手段１６に送出され、図５に示すように、モニタ２８に並べて表示される。
【０１０９】
以上の処理により、ユーザは親タイトルデータのサムネイル元画像を選択するだけで全ての子タイトルデータにも共通のサムネイル画像データが登録されるため、サムネイル画像登録処理の手間が大きく軽減される。
【０１１０】
また、図５のようにして並べて表示されたサムネイル画像データ４２−１は全て親タイトルデータ２１−１の映像データ２４−１から取得された共通の画像であるため、ユーザはサムネイル表示されたタイトルＡ〜Ｆは相互に関連のあるシリーズ番組であることを一目で認識することができる。
【０１１１】
また、再生用サムネイル元画像データは映像データと同一ファイルとして結合されるため、映像データを別の媒体に移動したときなどでも結合された再生用サムネイル元画像データを基にサムネイル画像データを生成することができる。
【０１１２】
上記の実施形態においては既に録画されている複数のタイトルデータに対して一括でサムネイル画像データ登録処理を行っているが、録画予約時に既登録タイトルデータのシリーズ番組であることを予約情報に付加しておき、録画される度に順次親タイトルデータの再生用サムネイル元画像データをコピーして結合するようにしてもよい。
【０１１３】
また、本実施形態においてはサムネイル元画像データを映像データの中から選択しているがこれには限定されず、ネットワークを介してユーザの所望の画像データをサムネイル元画像データとして用いるようにしてもよい。
【図面の簡単な説明】
【０１１４】
【図１】本発明の一実施形態における記録再生装置を示すブロック図である。
【図２】本発明の一実施形態における記録再生装置の記録手段に記録されたタイトルデータの構成を示す模式図である。
【図３】本発明の一実施形態における記録再生装置のサムネイル画像データ登録処理を示すフローチャートである。
【図４】本発明の一実施形態における記録再生装置のサムネイル画像データ表示処理を示すフローチャートである。
【図５】本発明の一実施形態における記録再生装置で生成されたサムネイル画像がモニタに表示された状態を示す正面図である。
【図６】従来の記録再生装置（１）の記録手段に記録されたタイトルデータの構成を示す模式図である。
【図７】従来の記録再生装置（１）の記録手段に記録されたタイトルデータの構成を示す模式図である。
【図８】従来の記録再生装置（１）のサムネイル画像データ登録処理を示すフローチャートである。
【図９】従来の記録再生装置（１）のサムネイル画像データ表示処理を示すフローチャートである。
【図１０】従来の記録再生装置（１）で生成されたサムネイル画像がモニタに表示された状態を示す正面図である。
【図１１】従来の記録再生装置（１）の記録手段に複数のタイトルデータが記録された状態を示す模式図である。
【図１２】従来の記録再生装置（１）で生成された複数のサムネイル画像がモニタに表示された状態を示す正面図である。
【図１３】従来の記録再生装置（２）の記録手段に記録されたタイトルデータの構成を示す模式図である。
【図１４】従来の記録再生装置（２）のサムネイル画像データ登録処理を示すフローチャートである。
【図１５】従来の記録再生装置（２）のサムネイル画像データ表示処理を示すフローチャートである。
【図１６】従来の記録再生装置（２）で生成されたサムネイル画像がモニタに表示された状態を示す正面図である。
【図１７】従来の記録再生装置（２）の記録手段に複数のタイトルデータが記録された状態を示す模式図である。
【図１８】従来の記録再生装置（２）で生成された複数のサムネイル画像がモニタに表示された状態を示す正面図である。
【図１９】従来の記録再生装置（３）の記録手段に記録されたタイトルデータの構成を示す模式図である。
【図２０】従来の記録再生装置（３）のサムネイル画像データ登録処理を示すフローチャートである。
【図２１】従来の記録再生装置（３）のサムネイル画像データ表示処理を示すフローチャートである。
【図２２】従来の記録再生装置（３）で生成されたサムネイル画像がモニタに表示された状態を示す正面図である。
【図２３】従来の記録再生装置（３）の記録手段に複数のタイトルデータが記録された状態を示す模式図である。
【図２４】従来の記録再生装置（３）で生成された複数のサムネイル画像がモニタに表示された状態を示す正面図である。
【図２５】従来の記録再生装置（４）のサムネイル画像データ表示処理を示すフローチャートである。
【図２６】従来の記録再生装置（４）の記録手段に複数のタイトルデータが記録された状態を示す模式図である。
【図２７】従来の記録再生装置（４）で生成された複数のサムネイル画像がモニタに表示された状態を示す正面図である。
【符号の説明】
【０１１５】
１…記録再生装置
１１…入力手段
１２…入力信号処理手段
１３…記録手段
１４…制御手段
１５…出力信号処理手段
１６…出力手段
１７…ユーザ制御手段
２１−１〜２１−６…タイトルデータ
２２−１〜２２−６…タイトルスタート情報
２３−１〜２３−６…タイトル情報エリア
２４−１〜２４−６…映像データ
２６−１〜２６−６…サムネイル元画像データ
２８…モニタ
２９…サムネイル元画像ポインタ
４０…映像データ先頭位置
４１…再生用サムネイル元画像データ
４２…サムネイル画像データ
１４１…タイトルデータ生成手段
１４２…親タイトルデータ取得手段
１４３…サムネイル元画像データ選択手段
１４４…再生用サムネイル元画像データ生成手段
１４５…再生用サムネイル元画像データ結合手段
１４６…子タイトルデータ取得手段
１４７…再生用サムネイル元画像データコピー手段
１４８…サムネイル元画像データ取得手段
１４９…サムネイル画像データ生成手段
【図１】
2007060247.tif 000003
【図２】
2007060247.tif 000004
【図３】
2007060247.tif 000005
【図４】
2007060247.tif 000006
【図５】
2007060247.tif 000007
【図６】
2007060247.tif 000008
【図７】
2007060247.tif 000009
【図８】
2007060247.tif 000010
【図９】
2007060247.tif 000011
【図１０】
2007060247.tif 000012
【図１１】
2007060247.tif 000013
【図１２】
2007060247.tif 000014
【図１３】
2007060247.tif 000015
【図１４】
2007060247.tif 000016
【図１５】
2007060247.tif 000017
【図１６】
2007060247.tif 000018
【図１７】
2007060247.tif 000019
【図１８】
2007060247.tif 000020
【図１９】
2007060247.tif 000021
【図２０】
2007060247.tif 000022
【図２１】
2007060247.tif 000023
【図２２】
2007060247.tif 000024
【図２３】
2007060247.tif 000025
【図２４】
2007060247.tif 000026
【図２５】
2007060247.tif 000027
【図２６】
2007060247.tif 000028
【図２７】
2007060247.tif 000029